(57)【要約】【課題】資産管理を効率的に行うことが可能な資産管理装置、資産管理システム、資産管理方法及びプログラムを提供すること。【解決手段】撮像機能を有する携帯端末と通信を行う通信部と、所定の各位置に設置された資産毎に、当該資産の種類を示す資産情報と、当該資産が設置された位置を示す位置情報と、当該資産の利用状況を示す利用状況情報とを対応付けて記憶する記憶部と、前記携帯端末で撮像された資産の撮像画像に基づき認識された当該資産の種類と、前記撮像画像を撮像した前記携帯端末の位置を示す位置情報とに基づき、前記各位置に設置された資産の中から、前記携帯端末で撮像された資産を特定する特定部と、前記特定部が特定した資産の前記利用状況情報に基づき、当該資産の利用可否を示す情報を前記携帯端末に提供する情報提供部と、を備える。【選択図】図７
2020087354.tif 000002
【特許請求の範囲】
【請求項１】
撮像機能を有する携帯端末と通信を行う通信部と、
所定の各位置に設置された資産毎に、当該資産の種類を示す資産情報と、当該資産が設置された位置を示す位置情報と、当該資産の利用状況を示す利用状況情報とを対応付けて記憶する記憶部と、
前記携帯端末で撮像された資産の撮像画像に基づき認識された当該資産の種類と、前記撮像画像を撮像した前記携帯端末の位置を示す位置情報とに基づき、前記各位置に設置された資産の中から、前記携帯端末で撮像された資産を特定する特定部と、
前記特定部が特定した資産の前記利用状況情報に基づき、当該資産の利用可否を示す情報を前記携帯端末に提供する情報提供部と、
を備える資産管理装置。
【請求項２】
前記撮像画像に映し出された資産の特徴量と、予め用意された種類毎の資産の特徴量とを比較することで、前記撮像画像に映し出された資産の種類を認識する認識部を更に備え、
前記特定部は、前記認識部で認識された資産の種類と、前記携帯端末の位置とに基づき、前記各位置に設置された資産の中から、前記携帯端末で撮像された資産を特定する、請求項１に記載の資産管理装置。
【請求項３】
前記情報提供部は、前記利用状況情報に基づき、前記資産を利用可と判断した場合、当該資産の利用申請を行うことが可能な画面を前記携帯端末に提供する、請求項１又は２に記載の資産管理装置。
【請求項４】
前記情報提供部は、前記資産の利用期間を指定することが可能な前記画面を前記携帯端末に提供する、請求項３に記載の資産管理装置。
【請求項５】
前記情報提供部は、前記利用状況情報に基づき、前記資産を利用不可と判断した場合、利用不可の理由を示した情報を前記携帯端末に提供する、請求項１〜４の何れか一項に記載の資産管理装置。
【請求項６】
登録対象の資産が撮像された前記撮像画像に基づき認識された当該資産の種類と、前記撮像画像を撮像した前記携帯端末の前記位置情報とを対応付けて、前記記憶部に登録する登録処理部を更に備える、請求項１に記載の資産管理装置。
【請求項７】
携帯端末と資産管理装置とが通信可能に接続された資産管理システムであって、
前記携帯端末は、
撮像部と、
自端末が存在する位置を特定することが可能な位置情報を取得する位置取得部と、
を備え、
前記資産管理装置は、
所定の各位置に設置された資産毎に、当該資産の種類を示す資産情報と、当該資産が設置された位置を示す位置情報と、当該資産の利用状況を示す利用状況情報とを対応付けて記憶する記憶部と、
前記携帯端末で撮像された資産の撮像画像に基づき当該資産の種類を認識する認識部と、
前記認識部で認識された資産の種類と、前記撮像画像を撮像した前記携帯端末の位置情報とに基づき、前記各位置に設置された資産の中から、前記携帯端末で撮像された資産を特定する特定部と、
前記特定部が特定した資産の前記利用状況情報に基づき、当該資産の利用可否を示す情報を前記携帯端末に提供する情報提供部と、
を備える、資産管理システム。
【請求項８】
資産管理装置で実行される資産管理方法であって、
前記資産管理装置は、
撮像機能を有する携帯端末と通信を行う通信部と、
所定の各位置に設置された資産毎に、当該資産の種類を示す資産情報と、当該資産が設置された位置を示す位置情報と、当該資産の利用状況を示す利用状況情報とを対応付けて記憶する記憶部と、
を備え、
前記携帯端末で撮像された資産の撮像画像に基づき認識された当該資産の種類と、前記撮像画像を撮像した前記携帯端末の位置を示す位置情報とに基づき、前記各位置に設置された資産の中から、前記携帯端末で撮像された資産を特定する特定工程と、
前記特定工程で特定された資産の前記利用状況情報に基づき、当該資産の利用可否を示す情報を前記携帯端末に提供する情報提供工程と、
を含む資産管理方法。
【請求項９】
撮像機能を有する携帯端末と通信を行う資産管理装置のコンピュータを、
所定の各位置に設置された資産毎に、当該資産の種類を示す資産情報と、当該資産が設置された位置を示す位置情報と、当該資産の利用状況を示す利用状況情報とを対応付けて記憶する記憶手段と、
前記携帯端末で撮像された資産の撮像画像に基づき認識された当該資産の種類と、前記撮像画像を撮像した前記携帯端末の位置を示す位置情報とに基づき、前記各位置に設置された資産の中から、前記携帯端末で撮像された資産を特定する特定手段と、
前記特定手段が特定した資産の前記利用状況情報に基づき、当該資産の利用可否を示す情報を前記携帯端末に提供する情報提供手段と、
して機能させるためのプログラム。
【発明の詳細な説明】
【技術分野】
【０００１】
本発明は、資産管理装置、資産管理システム、資産管理方法及びプログラムに関する。
【背景技術】
【０００２】
企業等の組織では、会議室等の施設内の各位置に設置された機器を資産として管理している。例えば、従来、管理対象となる機器に管理番号等を付与し、各機器に付与した管理番号をサーバ等の資産管理装置で記憶・管理することで資産管理を行っている。
【０００３】
また、従来、管理対象の機器に貼付したカラーコードを資産管理装置で記憶・管理し、当該資産管理装置にカラーコードを撮像した画像を送信することで、カラーコードに対応すう機器を特定することが可能な技術が提案されている（例えば、特許文献１参照）。
【発明の概要】
【発明が解決しようとする課題】
【０００４】
しかしながら、上述した従来の技術では、管理対象となる全ての機器にカラーコードを貼付する必要があるため、準備に手間がかかるという問題があった。
【０００５】
本発明は、上記に鑑みてなされたものであって、資産管理を効率的に行うことが可能な資産管理装置、資産管理システム、資産管理方法及びプログラムを提供することを目的とする。
【課題を解決するための手段】
【０００６】
上述した課題を解決し、目的を達成するために、本発明は、撮像機能を有する携帯端末と通信を行う通信部と、所定の各位置に設置された資産毎に、当該資産の種類を示す資産情報と、当該資産が設置された位置を示す位置情報と、当該資産の利用状況を示す利用状況情報とを対応付けて記憶する記憶部と、前記携帯端末で撮像された資産の撮像画像に基づき認識された当該資産の種類と、前記撮像画像を撮像した前記携帯端末の位置を示す位置情報とに基づき、前記各位置に設置された資産の中から、前記携帯端末で撮像された資産を特定する特定部と、前記特定部が特定した資産の前記利用状況情報に基づき、当該資産の利用可否を示す情報を前記携帯端末に提供する情報提供部と、を備える。
【発明の効果】
【０００７】
本発明によれば、資産管理を効率的に行うことができる、という効果を奏する。
【図面の簡単な説明】
【０００８】
【図１】図１は、実施形態に係る資産管理システムの構成の一例を示す図である。
【図２】図２は、実施形態に係る画像認識サーバのハードウェア構成の一例を示す図である。
【図３】図３は、実施形態に係る資産マスタのデータ構成の一例を模式的に示す図である。
【図４】図４は、実施形態に係る資産管理サーバのハードウェア構成の一例を示す図である。
【図５】図５は、実施形態に係る資産管理ファイルのデータ構成の一例を模式的に示す図である。
【図６】図６は、実施形態に係る携帯端末のハードウェア構成の一例を示す図である。
【図７】図７は、実施形態に係る画像認識サーバ、資産管理サーバ及び携帯端末の機能構成の一例を示す図である。
【図８】図８は、実施形態に係る資産登録処理の手順の一例を示す図である。
【図９】図９は、本実施形態の携帯端末に表示される画面の一例を示す図である。
【図１０】図１０は、実施形態に係る資産管理処理の手順の一例を示す図である。
【図１１】図１１は、本実施形態の携帯端末に表示される画面の一例を示す図である。
【図１２】図１２は、本実施形態の携帯端末に表示される画面の一例を示す図である。
【図１３】図１３は、本実施形態の携帯端末に表示される画面の一例を示す図である。
【図１４】図１４は、本実施形態の携帯端末に表示される画面の一例を示す図である。
【図１５】図１５は、本実施形態の携帯端末に表示される画面の一例を示す図である。
【図１６】図１６は、本実施形態の携帯端末に表示される画面の一例を示す図である。
【図１７】図１７は、本実施形態の携帯端末に表示される画面の一例を示す図である。
【図１８】図１８は、本実施形態の携帯端末に表示される画面の一例を示す図である。
【図１９】図１９は、本実施形態の携帯端末に表示される画面の一例を示す図である。
【０００９】
以下に添付図面を参照して、資産管理装置、資産管理システム、資産管理方法及びプログラムの実施形態を詳細に説明する。以下では、企業等の組織において、会議室等の施設内に設置された資産を管理する形態を説明するが、これに限らないものとする。
【００１０】
図１は、実施形態に係る資産管理システムの構成の一例を示す図である。図１に示すように、資産管理システム１は、画像認識サーバ１０と、資産管理サーバ２０と、携帯端末３０とを有する。画像認識サーバ１０と、資産管理サーバ２０とは、ＬＡＮ（Local  Area  Network）又はＷＡＮ（Wide  Area  Network）等のネットワークＮ１に接続される。また、携帯端末３０は、施設内の各位置に設置されたアクセスポイントＡＰ等を介し、ネットワークＮ１に無線で接続される。なお、ネットワークＮ１に接続される携帯端末３０の台数は、特に問わないものとする。
【００１１】
画像認識サーバ１０は、管理対象の資産を撮像した撮像画像に基づき、当該資産の種類等を認識するサーバ装置である。ここで、資産は、例えば施設内の所定位置に設置された機器を意味する。機器としては、例えば、印刷装置、複写機、複合機、スキャナ装置、及びファクシミリ装置等の画像形成装置、プロジェクタ等が挙げられるが、これらに限定されるものではない。
【００１２】
図２は、画像認識サーバ１０のハードウェア構成の一例を示す図である。図２に示すように、画像認識サーバ１０は、通信部１１と、記憶部１２と、制御部１３とを備える。
【００１３】
通信部１１は、ネットワークＮ１を介して、資産管理サーバ２０や携帯端末３０等の外部装置と通信するものであり、ＮＩＣ（Network  Interface  Card）等の通信装置により実現できる。
【００１４】
記憶部１２は、例えば、ＨＤＤ（Hard  Disk  Drive）、ＳＳＤ（Solid  State  Drive）、メモリカード、光ディスク、ＲＯＭ（Read  Only  Memory）、及びＲＡＭ（Random  Access  Memory）等の磁気的、光学的、及び電気的に記憶可能な記憶装置の少なくとも何れかにより実現できる。
【００１５】
記憶部１２は、画像認識サーバ１０で実行される各種プログラム、画像認識サーバ１０で行われる各種処理に使用されるデータ等を記憶する。また、記憶部１２は、資産の認識に係るデータとして、管理対象となる各資産の外観上の特徴を表す情報を格納した資産マスタＦ１を記憶する。
【００１６】
図３は、資産マスタＦ１のデータ構成の一例を模式的に示す図である。図３に示すように、資産マスタＦ１は、資産の種類を示す資産情報と、資産の外観上の特徴を示す特徴情報とを対応付けて記憶する。ここで、資産情報は、例えば、資産の種類（資産種類）、メーカ名（資産メーカ）、型番（資産型番）等の情報を含む。また、特徴情報は、例えば、資産の外形や構造、色合い等の外観上の特徴を定量的に表した特徴量を含む。なお、特徴情報は、資産の外観を撮像した画像データ等であってもよい。画像データを用いる場合、後述する認識処理において、当該画像データから上述した特徴量を抽出することになる。
【００１７】
制御部１３は、画像認識サーバ１０の各部を制御することで、画像認識サーバ１０の動作を統括的に制御する。制御部１３は、ＣＰＵ（Central  Processing  Unit）等のプロセッサにより実現できる。
【００１８】
図１に戻り、資産管理サーバ２０は、資産管理装置の一例であり、施設内の所定位置に設置された資産の管理を行う。
【００１９】
図４は、資産管理サーバ２０のハードウェア構成の一例を示す図である。図４に示すように、資産管理サーバ２０は、通信部２１と、記憶部２２と、制御部２３とを備える。
【００２０】
通信部２１は、ネットワークＮ１を介して、画像認識サーバ１０や携帯端末３０等の外部装置と通信するものであり、ＮＩＣ等の通信装置により実現できる。
【００２１】
記憶部２２は、例えば、ＨＤＤ、ＳＳＤ、メモリカード、光ディスク、ＲＯＭ、及びＲＡＭ等の磁気的、光学的、及び電気的に記憶可能な記憶装置の少なくとも何れかにより実現できる。
【００２２】
記憶部２２は、資産管理サーバ２０で実行される各種プログラム、資産管理サーバ２０で行われる各種処理に使用されるデータ等を記憶する。また、記憶部１２は、資産の管理に係るデータとして、資産管理ファイルＦ２を記憶する。
【００２３】
図５は、資産管理ファイルＦ２のデータ構成の一例を模式的に示す図である。図５に示すように、資産管理ファイルＦ２は、施設内の所定位置に設置された資産毎に、当該資産の種類を示す資産情報と、資産の設定位置を示す位置情報と、資産の利用状況を示す利用状況情報とを対応付けて記憶する。ここで、位置情報は、例えば、ＧＰＳ情報や、資産が設置された部屋等に設けられているアクセスポイントＡＰのＳＳＩＤ（Service  Set  IDentifier）等を用いることができる。
【００２４】
利用状況情報は、例えば、資産が利用される日時や、利用予約の日時を記録したスケジュール等の情報を含む。また、利用状況情報は、例えば、資産を利用することが可能か否かを示す利用可否フラグや、利用不可の理由を示す利用不可理由等の情報を含む。利用不可理由には、例えば、資産が現在利用中であること、故障や消耗品の不足により利用できないこと等が記録される。
【００２５】
制御部２３は、資産管理サーバ２０の各部を制御することで、資産管理サーバ２０の動作を統括的に制御する。制御部２３は、ＣＰＵ等のプロセッサにより実現できる。
【００２６】
図１に戻り、携帯端末３０は、資産管理システム１のユーザが使用する、撮像機能を有した携帯型の端末装置である。携帯端末３０は、例えば、スマートフォン、タブレット端末等の端末装置により実現できる。
【００２７】
図６は、携帯端末３０のハードウェア構成の一例を示す図である。図４に示すように、携帯端末３０は、通信部３１と、操作部３２と、表示部３３と、撮像部３４と、位置取得部３５と、記憶部３６と、制御部３７とを備える。
【００２８】
通信部３１は、ネットワークＮ１を介して、画像認識サーバ１０及び資産管理サーバ２０等の外部装置と通信するものであり、無線通信可能なＮＩＣ等の通信装置により実現できる。
【００２９】
操作部３２は、各種操作の入力を行うものであり、キーボード、マウス、タッチパッド、及びタッチパネル等の入力装置により実現できる。
【００３０】
表示部３３は、各種画面を表示するものであり、液晶ディスプレイ及びタッチパネル式ディスプレイ等の表示装置により実現できる。
【００３１】
撮像部３４は、ＣＣＤ（Charge-Coupled  Device）、ＣＭＯＳ（Complementary  MOS）等の撮像素子を有する撮像装置であり、撮像によって得られた画像データを制御部３７に出力する。本実施形態では、撮像部３４は、施設内の各位置に設置された資産の撮像に用いられる。なお、撮像部３４は、携帯端末３０に外付けされる構成としてもよい。
【００３２】
位置取得部３５は、自端末（携帯端末３０）の存在位置を特定することが可能な位置情報を取得する装置である。位置情報は特に問わず、種々の装置又は方法を採用することができる。例えば、位置取得部３５は、ＧＰＵ（Global  Positioning  System）信号を取得可能なＧＰＵ装置であってもよい。また、位置取得部３５は、通信部３１が接続したアクセスポイントＡＰのＳＳＩＤを位置情報として取得してもよい。この場合、通信部３１が、位置取得部３５の機能を担ってもよい。
【００３３】
記憶部３６は、例えば、ＨＤＤ、ＳＳＤ、メモリカード、光ディスク、ＲＯＭ、及びＲＡＭ等の磁気的、光学的、及び電気的に記憶可能な記憶装置の少なくとも何れかにより実現できる。記憶部は、携帯端末３０で実行される各種プログラム、及び携帯端末３０で行われる各種処理に使用されるデータ等を記憶する。
【００３４】
制御部３７は、携帯端末３０の各部を制御することで、携帯端末３０の動作を統括的に制御する。制御部３７は、ＣＰＵ等のプロセッサにより実現できる。
【００３５】
上述した構成の資産管理システム１において、携帯端末３０を所持するユーザは、施設内を自由に移動することが可能となっている。ユーザは、施設内に設置された資産を利用又は新規登録するような場合に、携帯端末３０を用いることで対象となる資産を撮像する。携帯端末３０で撮像された撮像画像は画像認識サーバ１０に送信される。
【００３６】
画像認識サーバ１０は、携帯端末３０から撮像画像を受け取ると、その撮像画像に映し出された資産の特徴量を抽出し、資産マスタＦ１に格納された特徴情報の各々と照合する。そして、画像認識サーバ１０では、撮像された資産の資産情報を認識（特定）すると、その認識結果を携帯端末３０に送信する。
【００３７】
携帯端末３０では、画像認識サーバ１０から認識結果（資産情報）を受信すると、その資産場を自端末の位置情報とともに資産管理サーバ２０に送信する。資産管理サーバ２０は、画像認識サーバ１０から資産情報と位置情報とを受信すると、資産管理ファイルＦ２に基づき、資産情報及び位置情報の条件に該当する資産、つまり携帯端末３０で撮像された資産を特定したり、新規登録したりする。例えば、携帯端末３０から資産の利用が要求された場合には、資産管理サーバ２０は、特定した資産の利用状況情報に基づき、利用可否かを示す情報や、資産の利用を申請することが可能な画面の表示に係る情報等を携帯端末３０に提供する。
【００３８】
次に、図７を参照して、上述した画像認識サーバ１０、資産管理サーバ２０及び携帯端末３０の機能構成について説明する。ここで、図７は、画像認識サーバ１０、資産管理サーバ２０及び携帯端末３０の機能構成の一例を示す図である。なお、図中に示す矢印は、機能部間での主なデータの流れを示すものである。
【００３９】
図７に示すように、画像認識サーバ１０は、機能部として、画像認識部１０１と、認識結果提供部１０２とを備える。これらの機能部は、制御部１３（プロセッサ）と記憶部１２に記憶されたプログラムとの協働により実現されるソフトウェア構成であってもよいし、制御部１３等に搭載された専用回路等により実現されるハードウェア構成であってもよい。
【００４０】
資産管理サーバ２０は、機能部として、登録処理部２０１と、特定部２０２と、情報提供部２０３と、利用状況更新部２０４とを備える。これらの機能部は、制御部２３（プロセッサ）と記憶部２２に記憶されたプログラムとの協働により実現されるソフトウェア構成であってもよいし、制御部２３等に搭載された専用回路等により実現されるハードウェア構成であってもよい。
【００４１】
携帯端末３０は、機能部として、登録要求部３０１と、利用要求部３０２とを備える。これらの機能部は、制御部３７（プロセッサ）と記憶部３６に記憶されたプログラムとの協働により実現されるソフトウェア構成であってもよいし、制御部３７等に搭載された専用回路等により実現されるハードウェア構成であってもよい。
【００４２】
まず、上述した各装置の機能部のうち、施設内に新たに設置された資産の登録に係る機能部について説明する。
【００４３】
携帯端末３０の登録要求部３０１は、施設内に新たに設置された資産の管理を、資産管理サーバ２０に要求する機能部である。具体的には、登録要求部３０１は、操作部３２等を介して資産の登録が指示されると、撮像部３４と協働することで、携帯端末３０を撮像可能な状態へと移行させる。この状態で、登録対象の資産が撮像部３４で撮像されると、登録要求部３０１は、撮像により取得された撮像画像を画像認識サーバ１０に送信する。なお、登録要求部３０１は、登録対象の資産を撮像することを案内するメッセージ等を表示部３３に表示させてもよい。
【００４４】
画像認識サーバ１０の画像認識部１０１は、撮像画像に映し出された被写体（資産）の特徴量と、資産マスタＦ１に登録された各資産の特徴量（特徴情報）とに基づき、被写体となった資産を認識する。
【００４５】
具体的には、画像認識部１０１は、携帯端末３０から撮像画像を受け付けると、撮像画像を解析することで撮像画像に映し出された被写体の外観上の特徴量を抽出する。次いで、画像認識部１０１は、抽出した特徴量と資産マスタＦ１に登録された各資産の特徴量とをそれぞれ比較し、その類似度が最も高くなる資産を、携帯端末３０で撮像された資産と認識する。なお、画像認識部１０１の画像認識方法は特に問わず、パターン認識や物体認識技術等の公知の技術を用いてもよい。また、最も高い類似度が所定の閾値を超えないような場合には、画像認識部１０１は、該当する資産が存在しないと判断してもよい。
【００４６】
画像認識サーバ１０の認識結果提供部１０２は、画像認識部１０１の認識結果を携帯端末３０に提供する。具体的には、認識結果提供部１０２は、画像認識部１０１で認識された資産の資産情報を資産マスタＦ１から読み出すと、読み出した資産情報を認識結果として携帯端末３０に提供する。また、認識結果提供部１０２は、画像認識部１０１で該当する資産が存在しないと判断された場合には、その旨を示す情報を認識結果として携帯端末３０に提供する。
【００４７】
携帯端末３０の登録要求部３０１は、撮像画像に対する返答として、画像認識サーバ１０から認識結果（資産情報）を取得すると、位置取得部３５が取得した位置情報とともに、登録要求として資産管理サーバ２０に送信する。ここで、登録要求部３０１は、位置取得部３５を制御することで、撮像画像の撮像タイミングに同期して位置情報を取得させてもよい。
【００４８】
なお、認識結果として画像認識サーバ１０から該当する資産が存在しないことが通知された場合には、登録要求部３０１は、その旨を示すメッセージ等を表示部３３に表示することでユーザに報知を行う。この場合、ユーザは、画像認識サーバ１０の資産マスタＦ１に対し、登録対象となる資産の資産情報及び特徴情報を登録する。これにより、同一種類の資産を次回以降登録する際に、当該資産を画像認識サーバ１０で認識させることができる。
【００４９】
一方、資産管理サーバ２０の登録処理部２０１は、携帯端末３０から送信される登録要求に応じて、資産管理ファイルＦ２に資産を登録する処理を実行する。具体的には、登録処理部２０１は、携帯端末３０から登録要求を受信すると、この登録要求に含まれた資産情報及び位置情報を対応付けて資産管理ファイルＦ２に登録する。そして、登録処理部２０１は、資産管理ファイルＦ２への登録が完了すると、登録が完了したことを携帯端末３０に通知する。これにより、携帯端末３０から登録が要求された資産は、資産管理サーバ２０（資産管理ファイルＦ２）の管理下に置かれることになる。
【００５０】
次に、上述した各装置の機能部のうち、資産の利用管理等に係る機能部について説明する。なお、上述した資産登録に係る機能部と重複するものについては、その説明を適宜省略する。
【００５１】
携帯端末３０の利用要求部３０２は、施設内に設置された資産を利用等する際に機能する機能部である。具体的には、利用要求部３０２は、操作部３２等を介して資産の利用申請が指示されると、撮像部３４と協働することで、携帯端末３０を撮像可能な状態へと移行させる。この状態で、登録対象の資産が撮像部３４で撮像されると、利用要求部３０２は、撮像により取得された撮像画像を画像認識サーバ１０に送信する。なお、利用要求部３０２は、利用対象の資産を撮像することを案内するメッセージ等を表示部３３に表示させてもよい。
【００５２】
また、利用要求部３０２は、撮像画像に対する返答として、画像認識サーバ１０から認識結果（資産情報）を取得すると、位置取得部３５が取得した位置情報とともに、利用要求として資産管理サーバ２０に送信する。ここで、利用要求部３０２は、位置取得部３５を制御することで、撮像画像の撮像タイミングに同期して位置情報を取得させてもよい。
【００５３】
資産管理サーバ２０の特定部２０２は、携帯端末３０から送信される登録要求に応じて、要求された資産を資産管理ファイルＦ２から登録する処理を実行する。具体的には、特定部２０２は、携帯端末３０から利用要求を受信すると、この利用要求に含まれた資産情報及び位置情報の条件に該当する資産を資産管理ファイルＦ２から検索する。そして、特定部２０２は、資産情報及び位置情報の条件に該当した資産を、利用要求で指示された資産、つまり携帯端末３０の撮像部３４で撮像された資産として特定する。
【００５４】
資産管理サーバ２０の情報提供部２０３は、特定部２０２が特定した資産に関する情報を携帯端末３０に提供する機能部である。具体的には、情報提供部２０３は、利用要求で指示された資産が特定されると、その資産の利用状況情報に基づき判断した利用可否の判断結果等を含む応答情報を携帯端末３０に提供する。
【００５５】
例えば、情報提供部２０３は、利用状況情報に基づき、指示された資産を現在利用することか可能と判断すると、当該資産の利用を申請することが可能な画面又は当該操作画面の表示に係る情報を含んだ応答情報を携帯端末３０に提供する。かかる画面には、例えば、利用期間を設定（予約）することが可能な操作子等を含めることができる。また、例えば、情報提供部２０３は、利用要求で指示された資産が予約済や故障等の理由により現在利用することができないと判断すると、その理由を報知する画面又は当該画面の表示に係る情報を含んだ応答情報に提供する。かかる画面には、例えば、対象となる資産の現在の状況を報告することが可能な操作子等を含めることができる。なお、操作画面の表示例については後述する。
【００５６】
携帯端末３０の利用要求部３０２は、携帯端末３０から提供される応答情報に基づき各種の画面を表示部３３に表示することで、利用要求の対象となった資産、つまり撮像部３４で撮像した資産の利用状況を報知する。また、利用要求部３０２は、携帯端末３０から提供された各種の情報や画面に基づき、資産の利用申請等の操作を操作部３２から受け付けると、その操作内容に応じた指示情報を資産管理サーバ２０に送信する。なお、指示情報には、対象となる資産を特定可能な情報や操作内容を指示する情報が少なくとも含まれるものとする。
【００５７】
資産管理サーバ２０の利用状況更新部２０４は、携帯端末３０から送信された指示情報に応じて、対象となった資産の利用状況情報を更新する。例えば、資産の利用が申請された場合、利用状況更新部２０４は、該当する資産の利用状況情報に含まれる利用可否フラグを利用不可に設定する。また、例えば、資産の利用終了が指示された場合、利用状況更新部２０４は、該当する資産の利用状況情報に含まれる利用可否フラグを利用可に設定する。また、例えば、資産の利用期間が指示された場合、利用状況更新部２０４は、該当する資産の利用状況情報に含まれるスケジュールのうち、指示された利用期間を予約済に設定する。
【００５８】
以下、上述した構成の資産管理システム１で実行される処理について説明する。まず、施設内に新たに設置された資産を管理対象として登録する場合に実行される資産登録処理について説明する。
【００５９】
図８は、資産登録処理の手順の一例を示す図である。なお、登録対象の資産に関する資産情報は資産マスタＦ１に登録済であるとする。
【００６０】
まず、携帯端末３０では、登録要求部３０１が撮像部３４の撮像動作を開始させる（ステップＳ１１）。撮像部３４により撮像が行われると、登録要求部３０１は、撮像により得られた撮像画像を画像認識サーバ１０に送信する（ステップＳ１２）。
【００６１】
画像認識サーバ１０の画像認識部１０１は、携帯端末３０から撮像画像を受信すると、撮像画像から抽出した被写体（資産）の特徴量と、資産マスタＦ１に登録された各資産の特徴量とに基づき、携帯端末３０で撮像された資産を認識する（ステップＳ１３）。次いで、認識結果提供部１０２は、ステップＳ１３で認識された資産の資産情報を資産マスタＦ１から読み出し、認識結果として携帯端末３０に送信する（ステップＳ１４）。
【００６２】
携帯端末３０の登録要求部３０１は、画像認識サーバ１０から認識結果を受信すると、その認識結果と位置取得部３５が取得した位置情報とを含んだ登録要求を、資産管理サーバ２０に送信する（ステップＳ１５）。なお、登録要求部３０１は、登録要求の送信に先駆けて、画像認識サーバ１０の認識結果をユーザに確認させるための画面（登録確認画面）を表示部３３に表示させてもよい。
【００６３】
ここで、図９は、携帯端末３０に表示される画面の一例を示す図である。図９に示すように、登録確認画面Ｇ１は、撮像部３４で撮像された撮像画像が表示される領域Ｇ１１と、認識結果の資産情報（資産種類、資産メーカ及び資産型番）に含まれた各項目が表示される領域Ｇ１２〜Ｇ１４とを有する。また、登録確認画面Ｇ１は、登録を指示するための操作子Ｇ１５と、登録中止を指示するための操作子Ｇ１６とを有する。
【００６４】
携帯端末３０のユーザは、領域Ｇ１１〜領域Ｇ１４に表示された情報を参照し、認識結果に誤りがないかを確認する。誤りがない場合には操作子Ｇ１５を操作することで、資産の登録を申請する。この場合、登録要求部３０１は、操作子Ｇ１５の操作に応じて、資産管理サーバ２０に対し登録要求を送信する。一方、認識結果に誤りがある等、登録を中止するような場合、ユーザは操作子Ｇ１６を操作することで、資産の登録を中止することができる。操作子Ｇ１６が操作されると、登録要求部３０１は、登録要求を資産管理サーバ２０に送信することなく、本処理を終了する。
【００６５】
なお、登録確認画面Ｇ１は、図９の例に限らないものとする。例えば、画像認識サーバ１０から資産情報とともに認識された資産の画像データが提供されるような場合には、画像認識サーバ１０から提供された画像データを領域Ｇ１１に表示させてもよい。
【００６６】
図８に戻り、資産管理サーバ２０の登録処理部２０１は、携帯端末３０から登録要求を受信すると、登録要求に含まれた資産情報及び位置情報を対応付けて資産管理ファイルＦ２に登録する（ステップＳ１６）。そして、登録処理部２０１は、資産管理ファイルＦ２への登録が完了すると、登録完了を携帯端末３０に通知する（ステップＳ１７）。
【００６７】
携帯端末３０の登録要求部３０１は、資産管理サーバ２０から登録完了が通知されると、登録が完了したことを報知する情報を表示部３３に表示し（ステップＳ１８）、本処理を終了する。例えば、登録要求部３０１は、登録完了を示すメッセージ等を図９の登録確認画面Ｇ１に重畳表示させることで、ユーザに登録完了を報知する形態としてもよい。
【００６８】
以上の処理により、資産管理システム１では、携帯端末３０で撮像された資産を、資産管理サーバ２０の管理対象として資産管理ファイルＦ２に登録（追加）する。これにより、資産の登録を行うユーザは、登録対象となる資産を撮像するだけで、当該資産の資産情報及び位置情報を資産管理サーバ２０の資産管理ファイルＦ２に登録することができるため、施設内の所定位置に設置された資産の管理を効率的に行うことができる。
【００６９】
次に、施設内に設置された資産の利用等が要求された場合に実行される資産管理処理について説明する。
【００７０】
図１０は、資産管理処理の手順の一例を示す図である。まず、携帯端末３０では、利用要求部３０２が撮像部３４の撮像動作を開始させる（ステップＳ２１）。撮像部３４により撮像が行われると、利用要求部３０２は、撮像により得られた撮像画像を画像認識サーバ１０に送信する（ステップＳ２２）。
【００７１】
画像認識サーバ１０の画像認識部１０１は、携帯端末３０から撮像画像を受信すると、撮像画像から抽出した被写体（資産）の特徴量と、資産マスタＦ１に登録された各資産の特徴量とに基づき、携帯端末３０で撮像された資産を認識する（ステップＳ２３）。次いで、認識結果提供部１０２は、ステップＳ２３で認識された資産の資産情報を資産マスタＦ１から読み出し、認識結果として携帯端末３０に送信する（ステップＳ２４）。
【００７２】
携帯端末３０の利用要求部３０２は、画像認識サーバ１０から認識結果を受信すると、その認識結果と位置取得部３５が取得した位置情報とを含んだ利用要求を、資産管理サーバ２０に送信する（ステップＳ２５）。なお、利用要求部３０２は、上述した登録確認画面Ｇ１（図９参照）と同様の画面を表示部３３に表示させることで、画像認識サーバ１０での認識結果をユーザに確認させてもよい。
【００７３】
資産管理サーバ２０の特定部２０２は、携帯端末３０から利用要求を受信すると、その利用要求に含まれた資産情報及び位置情報の条件に該当する資産を、資産管理ファイルＦ２から特定する（ステップＳ２６）。次いで、情報提供部２０３は、ステップＳ２６で特定された資産の利用状況情報を参照し、当該資産を現在利用することが可能か否かを判断する（ステップＳ２７）。そして、情報提供部２０３は、ステップＳ２７の判断結果を応答情報として携帯端末３０に送信する（ステップＳ２８）。
【００７４】
携帯端末３０の利用要求部３０２は、資産管理サーバ２０から応答情報を受信すると、当該応答情報に基づく画面を表示部３３に表示させる（ステップＳ２９）。次いで、利用要求部３０２は、資産の利用申請等の操作を操作部３２から受け付けると、その操作内容に応じた指示情報を資産管理サーバ２０に送信する（ステップＳ３０）。
【００７５】
続いて、資産管理サーバ２０の利用状況更新部２０４は、携帯端末３０から送信された指示情報を受け取ると、その指示情報で指示された内容に基づき、対象となった資産の利用状況情報を更新する（ステップＳ３１）。
【００７６】
以上の処理により、資産管理システム１では、携帯端末３０で利用対象の資産の撮像画像が撮像されると、この撮像画像と携帯端末３０の位置情報とに基づき、資産管理ファイルＦ２の中から利用対象の資産を特定する。そして、資産管理システム１では、特定した資産の利用状況に基づき、利用申請等を行うことが可能な画面をユーザに提供する。これにより、資産の利用等を所望するユーザは、利用対象となる資産を撮像するだけで、当該資産の利用申請等を行うことができる。したがって、資産管理システム１では、資産の利用申請等を容易に行うことができるため、資産管理を効率的に行うことができる。
【００７７】
以下、図１１〜図１８を参照し、上述した資産管理処理で携帯端末３０の表示部３３に表示される画面例について説明する。なお、図１１〜図１８は、携帯端末３０に表示される画面の一例を示す図である。
【００７８】
上述したステップＳ２７において、情報提供部２０３が利用対象の資産を現在利用することが可能と判断した場合、例えば、携帯端末３０の表示部３３には、例えば図１１に示すような画面Ｇ２が表示される。
【００７９】
図１１に示すように、画面Ｇ２は、上述した領域Ｇ１１〜Ｇ１４の他、利用時間（利用期間）をドロップダウンリスト形式で設定することが可能な領域Ｇ２１と、利用申請を指示するための操作子Ｇ２２と、利用の中止を指示するための操作子Ｇ２３とを有する。
【００８０】
ここで、領域Ｇ２１は、任意の期間（時間）を選択的に指定することが可能に構成されている。例えば、携帯端末３０にユーザは、領域Ｇ２１を操作することで、「１時間」等を利用期間として設定することができる。なお、利用期間の起点は、現在の日時、より正確には操作子Ｇ２２の操作により利用申請が行われた日時となる。
【００８１】
ここで、例えば、他のユーザが予約した他の利用期間により、設定可能な利用期間が制限されるような場合、図１２に示すように、領域Ｇ２１で設定することが可能な期間を制限することで、予約された利用期間と重複しないよう排他制御を行う。
【００８２】
図１２は、図１１の画面Ｇ２の他の表示例であり、図１１に示した領域Ｇ２１の選択リストが展開された場合の表示例を示している。図１２の領域Ｇ２１において、グレーアウトされた時間数は、予約済の他の利用期間と重複する時間数であり、ユーザが選択できないよう制御されている。
【００８３】
図１１又は図１２の画面Ｇ２において、利用要求部３０２は、領域Ｇ２１で時間数が設定された後、利用申請を指示する操作子Ｇ２２の操作を受け付けると、設定された時間数を含んだ利用申請を指示情報として資産管理サーバ２０に送信する。この場合、資産管理サーバ２０の利用状況更新部２０４は、携帯端末３０から受信した利用申請に基づいて、利用対象の資産の利用状況情報（スケジュール）に、現在の時刻（日時）から利用申請で指定された時間数分の利用予定を登録する。また、操作子Ｇ２４が操作された場合には、利用要求部３０２は、画面Ｇ２を消去し、予め定められたホーム画面を表示したり、従前の画面に表示を戻す等の処理を行う。
【００８４】
このように、携帯端末３０では、資産管理サーバ２０から提供された応答情報に基づき、利用の申請や利用期間の指定を行うことが可能な画面を表示部３３に表示することで、資産利用に係るユーザの利便性を向上させることができる。
【００８５】
なお、画面Ｇ２では、利用期間の基点を現在の日時としたが、基点となる日時も設定可能な構成としてもよい。これにより、現在の日時より将来の日時を利用期間の基点とした利用予約を行うことが可能となる。
【００８６】
また、上述したステップＳ２７において、情報提供部２０３が利用対象の資産を現在利用することができないと判断した場合、例えば、携帯端末３０の表示部３３には、図１３や図１４に示す画面が表示される。
【００８７】
ここで、図１３の画面Ｇ３は、他のユーザの予約により資産が利用できないと判断された場合の画面例を示すものである。画面Ｇ３は、上述した領域Ｇ１１〜Ｇ１４の他、利用不可の理由を示すメッセージＧ３１を有する。例えば、メッセージＧ３１には、予約のため資産（デバイス）を利用できない旨が表される。このように、携帯端末３０は、資産管理サーバ２０から提供された応答情報に基づき、利用不可の理由を表示部３３に表示させるため、ユーザは、どのような理由で利用できないのかを認識させることができる。
【００８８】
また、画面Ｇ３は、従前の画面に戻ることを指示する操作子Ｇ３２を含んでいる。操作子Ｇ３２が操作されると、利用要求部３０２は、画面Ｇ３を消去し、予め定められたホーム画面や、従前の画面に表示を戻す。
【００８９】
一方、図１４の画面Ｇ４は、故障又は消耗品の不足により資産が利用できないと判断された場合の画面例を示すものである。画面Ｇ４は、上述した領域Ｇ１１〜Ｇ１４の他、利用不可の理由を示すメッセージＧ４１を有する。例えば、メッセージＧ４１には、故障又は消耗品の不足により、資産（デバイス）を利用できない旨が表される。
【００９０】
また、画面Ｇ４は、操作子Ｇ３２と同様の従前の画面に戻ることを指示するための操作子Ｇ４２と、メンテナンスレポートを行うための操作子Ｇ４３とを有する。ここで、メンテナンスレポートは、ユーザ自身が資産のメンテナンス等を行った場合の報告を資産管理サーバ２０に行うための手段である。操作子Ｇ４３が操作されると、利用要求部３０２は、例えば図１５に示す画面Ｇ５を表示する。
【００９１】
図１５の画面Ｇ５、図１４に示した操作子Ｇ４３が操作された場合に表示される画面の一例を示している。画面Ｇ５は、資産（デバイス）のメンテナンス結果として、正常を報告するための操作子Ｇ５１と、異常を報告するための操作子Ｇ５２とを有する。ここで、携帯端末３０のユーザは、操作子Ｇ５１、Ｇ５２を操作することで、メンテナンス後の資産の状態を報知することができる。
【００９２】
例えば、利用要求部３０２は、操作子Ｇ５１の操作を受け付けると、メンテナンスの実施により資産が利用可能になったことを指示する指示情報を資産管理サーバ２０に送信する。この場合、資産管理サーバ２０の利用状況更新部２０４は、携帯端末３０からの指示情報により、資産が利用可能になったことが指示されると、該当する資産の利用状況情報を使用可能に更新する。
【００９３】
なお、利用要求部３０２は、操作子Ｇ５１の操作を受け付けた場合、報告完了をユーザに報知するため、図１６に示す画面Ｇ６を表示してもよい。かかる画面Ｇ６には、例えば、メンテナンス後の対応方法を案内するためのメッセージＧ６１や、ホーム画面に戻ることを指示する操作子Ｇ６２等が表示される。
【００９４】
図１６では、メッセージＧ６１として、資産（デバイス）にマークシールが貼られている場合には、そのマークシールを外すことが表示されている。ここで、マークシールは、故障等の理由により利用不可となった資産に貼付される印を意味する。また、操作子Ｇ６２が操作された場合、利用要求部３０２は、画面Ｇ６を消去し、所定のホーム画面に表示を切り替える。
【００９５】
一方、図１７の画面Ｇ７において、操作子Ｇ７２が操作された場合、表示部３３には図１７に示す画面Ｇ７が表示される。画面Ｇ７には、異常状態の資産（デバイス）の処置方法を選択するための操作子として、マークシールを貼って所定位置に返却することを選択する操作子Ｇ７１と、外部のサポートサービスに預けることを選択する操作子Ｇ７２とを有している。この場合、携帯端末３０のユーザは、メンテナンス後の資産の状態に基づき、操作子Ｇ７１及び操作子Ｇ７２の何れか一方を選択する。
【００９６】
操作子Ｇ７１が操作されると、利用要求部３０２は、例えば、図１８に示す画面Ｇ８を表示することで、詳細レポートの入力を促す。画面Ｇ８は、例えば、資産（デバイス）の状態を入力するための入力欄Ｇ８１と、入力欄Ｇ８１に入力された内容の送信を指示するための操作子Ｇ８２とを有する。なお、利用要求部３０２は、マークシールの貼付を促すメッセージを画面Ｇ８に表示させてもよい。
【００９７】
ここで、携帯端末３０のユーザは、操作部３２を介して、例えば「ランプが壊れました」等の詳細レポートを入力欄Ｇ８１に入力した後、操作子Ｇ８２を操作する。利用要求部３０２は、操作子Ｇ８２の入力を受け付けると、入力欄Ｇ８１に入力された詳細レポートの内容を含んだ指示情報を資産管理サーバ２０に送信し、所定のホーム画面等に表示を切り替える。一方の資産管理サーバ２０の利用状況更新部２０４では、携帯端末３０から指示情報を受信すると、指示情報に含まれた詳細レポートの内容を、利用不可の理由として該当する資産の利用状態情報に登録する。なお、携帯端末３０の利用要求部３０２は、詳細レポートの内容を、該当する資産を特定可能な情報とともにサポートセンターに送信する形態としてもよい。
【００９８】
また、図１７の画面Ｇ７において、操作子Ｇ７２が操作された場合も、利用要求部３０２は、図１８と同様の画面Ｇ８を表示させることで、詳細レポートの入力を促してもよい。なお、操作子Ｇ７２が操作された場合には、携帯端末３０の利用要求部３０２又は資産管理サーバ２０の利用状況更新部２０４が、詳細レポートの内容を、該当する資産を特定可能な情報とともにサポートセンターに送信を行うものとする。
【００９９】
以上のように、本実施形態では、携帯端末３０で撮像された資産の撮像画像から、資産の種類を認識し、その認識結果と携帯端末３０の位置情報（撮像位置）とを条件に、施設内に設置された資産の何れに該当するかを特定する。また、本実施形態では、特定された資産の利用状況に基づき、当該資産の利用可否を示した情報を携帯端末３０に提供するとともに、携帯端末３０からの指示に応じて利用状況の管理を行う。
【０１００】
これにより、携帯端末３０のユーザは、資産を撮像するだけで、資産管理サーバ２０に管理されている資産の中から、該当する資産を指定することができるため、資産管理に係る利便性を向上させることができる。また、携帯端末３０のユーザは、利用対象の資産を撮像するだけで、当該資産の利用申請や利用状況を確認することができるため、資産管理に係る利便性を向上させることができる。したがって、本実施形態では、施設内の所定位置に設置された資産の管理を効率的に行うことができる。
【０１０１】
（変形例１）
上述した実施形態では、携帯端末３０から資産の利用時間を設定可能な構成を説明したが、資産管理サーバ２０又は携帯端末３０で、設定された利用時間の残り時間をカウントすることで、利用時間の終了時刻を報知する形態としてもよい。
【０１０２】
具体的には、資産管理サーバ２０の情報提供部２０３又は携帯端末３０の利用要求部３０２が、画面Ｇ２の領域Ｇ２１で設定された利用期間（利用時間）の計時を、当該利用期間の基点から開始する。そして、資産管理サーバ２０の情報提供部２０３又は携帯端末３０の利用要求部３０２は、例えば、利用期間の終了３０分前等の所定のタイミングで、終了までの残り時間を報知する画面を表示部３３に表示させる。
【０１０３】
図１９は、携帯端末３０に表示される画面の一例を示す図であり、利用時間の残り時間を報知する画面例を示している。図１９に示すように、画面Ｇ９には、上述した領域Ｇ１１〜Ｇ１４の他、利用期間が終了するまでの残り時間を報知するメッセージＧ９１が表示される。ここで、メッセージＧ９１は、残り時間が３０分であることを報知するものとなっている。なお、メッセージＧ９１は、常時表示する形態としてもよいし、残り時間３０分前や５分前等、所定の残時間に達したタイミングで表示する形態としてもよい。
【０１０４】
また、画面Ｇ９には、利用の終了を指示するための操作子Ｇ９２と、利用の継続を指示するための操作子Ｇ９３とが表示される。操作子Ｇ９２が操作された場合、利用要求部３０２は、利用の終了を指示する指示情報を資産管理サーバ２０に送信する。この場合、資産管理サーバ２０の利用状況更新部２０４は、利用の終了を指示する指示情報を受け付けると、該当する資産の利用状況情報を利用不可から利用可に変更する。なお、操作子Ｇ９２が操作された場合、上述した図１５と同様の画面Ｇ５を表示部３３に表示させることで、資産の状態をユーザに報告させる形態としてもよい。
【０１０５】
一方、操作子Ｇ９３が操作された場合、利用要求部３０２は、資産の利用を継続する。なお、操作子Ｇ９３が操作された場合、利用要求部３０２は、例えば、画面Ｇ９を消去してもよいし、操作子Ｇ９３のみを消去してもよい。また、設定した利用期間の終了時刻に到達した場合であっても、次の予定（予約）が登録されていない場合には、操作子Ｇ９３の操作により、施設利用の延長申請を行うことが可能な構成としてもよい。この場合、例えば、操作子Ｇ９３の操作に応じて上述した図１１の画面Ｇ２等を表示部３３に表示させることで、利用期間の再設定を行う形態としてもよい。
【０１０６】
以上のように、利用期間の終了時刻や残り時間を携帯端末３０に表示させることで、携帯端末３０のユーザに資産利用の終了時間を認識させることができるため、資産利用の円滑化を図ることができる。
【０１０７】
（変形例２）
上述した実施形態では、撮像画像から資産を認識する画像認識サーバ１０と、資産の管理を行う資産管理サーバ２０とを別体としたが、両機能を統合することで一の資産管理装置としてもよい。具体的には、資産管理サーバ２０が、画像認識サーバ１０の資産マスタＦ１及び機能部を備えることで、両サーバの機能を統合した構成としてもよい。
【０１０８】
この場合、携帯端末３０は、統合後の資産管理サーバ２０に対し、撮像画像と位置情報とを送信することで、上述した実施形態と同様の効果を奏することができる。また、この構成では、上述した構成と比較し、資産管理システム１全体の通信のトラフィック量を抑えることができるため、システムの効率化を図ることができる。
【０１０９】
以上、本発明に係る実施形態について説明したが、本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【０１１０】
また、上述した実施形態の各装置で実行されるソフトウェア（プログラム）は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）、ＵＳＢ（Universal  Serial  Bus）等のコンピュータで読み取り可能な記録媒体に記録して提供するように構成してもよいし、インターネット等のネットワーク経由で提供又は配布するように構成してもよい。また、各種プログラムを、ＲＯＭ等に予め組み込んで提供するように構成してもよい。
【符号の説明】
【０１１１】
１  資産管理システム
１０  画像認識サーバ
２０  資産管理サーバ
３０  携帯端末
１０１  画像認識部
１０２  認識結果提供部
２０１  登録処理部
２０２  特定部
２０３  情報提供部
２０４  利用状況更新部
３０１  登録要求部
３０２  利用要求部
Ｆ１  資産マスタ
Ｆ２  資産管理ファイル
【先行技術文献】
【特許文献】
【０１１２】
【特許文献１】特開２０１５−１７２８５９号公報
【図１】
2020087354.tif 000003
【図２】
2020087354.tif 000004
【図３】
2020087354.tif 000005
【図４】
2020087354.tif 000006
【図５】
2020087354.tif 000007
【図６】
2020087354.tif 000008
【図７】
2020087354.tif 000009
【図８】
2020087354.tif 000010
【図９】
2020087354.tif 000011
【図１０】
2020087354.tif 000012
【図１１】
2020087354.tif 000013
【図１２】
2020087354.tif 000014
【図１３】
2020087354.tif 000015
【図１４】
2020087354.tif 000016
【図１５】
2020087354.tif 000017
【図１６】
2020087354.tif 000018
【図１７】
2020087354.tif 000019
【図１８】
2020087354.tif 000020
【図１９】
2020087354.tif 000021